(57)【要約】【課題】捕捉体における支柱の分割部分同士を容易に連結するとともに、分割部分同士の連結部分の面積を拡大することにより強度が高められた捕捉体を構築する。【解決手段】河川の上流から流れてくる流水を通すとともに土石及び流木を捕捉し、延び方向において互いに連結される分割部分２１，２２を有する捕捉体１を構築する捕捉体の構築方法であって、互いに連結される分割部分２１，２２の一方の分割部分２１に、延び方向に沿って他方の分割部分２２に向かって延びる連結材２３を接合し、一方の分割部分２１と他方の分割部分２２とを突き合わせた状態において、他方の分割部分２２と重なる連結材２３の部分を分割部分２２に溶接することを特徴とする。【選択図】図３
2020125662.tif 000002
【特許請求の範囲】
【請求項１】
河川の上流から流れてくる流水を通すとともに土石及び流木を捕捉し、延び方向において互いに連結される分割部分を有する捕捉体を構築する捕捉体の構築方法であって、
前記互いに連結される分割部分の一方の分割部分に、前記延び方向に沿って他方の分割部分に向かって延びる連結材を接合し、
前記一方の分割部分と前記他方の分割部分とを突き合わせた状態において、前記他方の分割部分と重なる前記連結材を該他方の分割部分に接合する
ことを特徴とする捕捉体の構築方法。
【請求項２】
河川の上流から流れてくる流水を通すとともに土石及び流木を捕捉し、延び方向において互いに連結される分割部分を有する捕捉体を構築する捕捉体の構築方法であって、
前記互いに連結される分割部分の一方の分割部分に接合された、前記延び方向に沿って他方の分割部分に向かって延びる連結材を、前記一方の分割部分と前記他方の分割部分とを突き合わせた状態において、前記他方の分割部分と重なる部分において該他方の分割部分に接合する
ことを特徴とする捕捉体の構築方法。
【請求項３】
前記連結材の前記他方の分割部分と重なる部分を溶接することを特徴とする請求項１又は２に記載の捕捉体の構築方法。
【請求項４】
複数の前記連結材を前記一方の分割部分の外周面に沿って設け、
前記一方の分割部分の端部から突出している前記複数の連結材の突出部分の内側に、前記他方の分割部分の端部を収容することを特徴とする請求項１から３までのいずれか１項に記載の捕捉体の構築方法。
【請求項５】
前記他方の分割部分の端部を収容するときに、前記突出部分における内面が前記他方の分割部分の外面に接触することを特徴とする請求項４に記載の捕捉体の構築方法。
【請求項６】
前記一方の分割部分を、前記他方の分割部分に対して河川の底側に設置することを特徴とする請求項１から５までのいずれか一項に記載の捕捉体の構築方法。
【請求項７】
河川の上流から流れてくる流水を通すとともに土石及び流木を捕捉する捕捉体であって、
所定の間隔をあけて設置された複数の支柱を備え、
前記支柱は、
延び方向において互いに連結されている分割部分と、
前記支柱の延び方向に沿って前記分割部分を互いに連結している連結材と、
を有し、
前記連結材は、前記分割部分と重なる部分の全周に沿って該分割部分に対して接合されている
ことを特徴とする捕捉体。
【請求項８】
河川の両岸からそれぞれ突き出た一対の袖部と、
前記一対の袖部の間に設けられた水を流す開口部と、
前記開口部に設けられ、河川の上流から流れてくる物体を捕捉して流水を通すとともに土石及び流木を捕捉する捕捉体と、を備え、
前記捕捉体は、所定の間隔をあけて設置された複数の支柱を有し、
前記支柱は、延び方向において互いに連結されている分割部分と、前記支柱の延び方向に沿って前記分割部分を互いに連結している連結材と、を有し、
前記連結材は、前記分割部分と重なる部分の全周に沿って該分割部分に対して接合されている
ことを特徴とする堰堤。
【発明の詳細な説明】
【技術分野】
【０００１】
本発明は、捕捉体の構築方法、捕捉体及び堰堤に関する。
【背景技術】
【０００２】
河川の土石流対策工として、上流から流れてくる土石及び流木等を捕捉する捕捉体を備えた砂防堰堤が知られている。砂防堰堤は、河川の両岸からそれぞれ突き出た一対の袖部を備える。袖部の間には水を流す開口部が設けられている。
【０００３】
捕捉体は、開口部に設けられて、土砂や水を通過させつつ土石及び流木等を捕捉する。捕捉体は、支柱及び梁により上流面側が格子状に画定されており、格子状のマス目において土石及び流木等を捕捉する。捕捉体は、河川の流れ方向において上流側に面する側に上流側支柱と、下流側に面する側に下流側支柱とを有する（例えば、特許文献１参照。）。
【先行技術文献】
【特許文献】
【０００４】
【特許文献１】特開２０１７−０４００８１号公報
【発明の概要】
【発明が解決しようとする課題】
【０００５】
捕捉体における支柱は、１本の鋼管により製造されていることが強度の観点から望ましい。しかしながら、設置する河川の規模等によっては砂防堰堤の規模も大きくなり、それに伴い捕捉体の規模も大きくなる。そのため、捕捉体における上流側支柱及び下流側支柱は、捕捉体の設置現場へ鋼管部分を複数の分割部分に分割して運搬されて、設置現場で分割部分を互いに連結することにより構築される。設置現場に運搬された分割部分は、分割端面に設けられたフランジ同士を突き合わせてボルトにより連結されている。
【０００６】
設置現場への分割部分の運搬を考慮すれば、捕捉体は、複数の分割部分に分割されて設置現場に搬送されて組み立てることが一般的であり、また、フランジをボルトにより連結することにより分割部分を連結することが施工性の観点からも効率的である。
【０００７】
ところで、フランジを介して分割部分同士を連結する場合、連結断面積は、フランジにおける各ボルトの断面積の合計であり、１本の鋼管により支柱を製造した場合に比べて小さくなる。フランジにおけるボルトの本数を増やすことにより、連結断面積を稼ぐことも考えられる。しかし、増えたボルトの本数に応じてフランジを大きくする必要があり、フランジを大きくした結果、重量増により施工の手間が増し、また、フランジが大きくなった分だけフランジが占める支柱間のスペースも増え、透過型の砂防堰堤の機能を損なうおそれがある。
【０００８】
また、分割部分同士の端面を突き合わせて溶接することも検討されたが、分割部分同士の軸線が同軸にならないこともあり、溶接部分に応力が集中しやすい上に分割部分同士の軸線がずれた結果、溶接部分が脆弱部となるおそれがある。そのため、鋼管同士の軸線が同軸になるように、現場での極めて正確な位置合わせが重要となる。しかしながら、砂防堰堤を設置する山間部においては、施工スペースが限定されているため、分割部分の端面同士を突き合わせて溶接することは極めて困難であり、施工性の観点から現実的ではない。
【０００９】
そこで、本発明は、上記課題に鑑みてなされたものであり、捕捉体における支柱の分割部分同士を容易に連結するとともに、分割部分同士の連結部分の面積を拡大することにより強度が高められた捕捉体を構築する技術を提供することを目的とする。
【課題を解決するための手段】
【００１０】
上記課題を解決するために、本発明は、河川の上流から流れてくる流水を通すとともに土石及び流木を捕捉し、延び方向において互いに連結される分割部分を有する捕捉体を構築する捕捉体の構築方法であって、前記互いに連結される分割部分の一方の分割部分に、前記延び方向に沿って他方の分割部分に向かって延びる連結材を接合し、前記一方の分割部分と前記他方の分割部分とを突き合わせた状態において、前記他方の分割部分と重なる前記連結材を該他方の分割部分に接合することを特徴とする。
【００１１】
さらに、上記課題を解決するために、本発明は、河川の上流から流れてくる流水を通すとともに土石及び流木を捕捉し、延び方向において互いに連結される分割部分を有する捕捉体を構築する捕捉体の構築方法であって、前記互いに連結される分割部分の一方の分割部分に接合された、前記延び方向に沿って他方の分割部分に向かって延びる連結材を、前記一方の分割部分と前記他方の分割部分とを突き合わせた状態において、前記他方の分割部分と重なる部分において該他方の分割部分に接合することを特徴とする。
【００１２】
また、前記連結材の前記他方の分割部分と重なる部分を溶接してもよい。
【００１３】
また、複数の前記連結材を前記一方の分割部分の外周面に沿って設け、前記一方の分割部分の端部から突出している前記複数の連結材の突出部分の内側に、前記他方の分割部分の端部を収容してもよい。
【００１４】
また、前記他方の分割部分の端部を収容するときに、前記突出部分における内面が前記他方の分割部分の外面に接触してもよい。
【００１５】
また、前記一方の分割部分を、前記他方の分割部分に対して河川の底側に設置してもよい。
【００１６】
さらに、上記課題を解決するために、本発明は、河川の上流から流れてくる流水を通すとともに土石及び流木を捕捉する捕捉体であって、所定の間隔をあけて設置された複数の支柱を備え、前記支柱は、延び方向において互いに連結されている分割部分と、前記分割部分を互いに前記支柱の延び方向に沿って連結している連結材と、を有し、前記連結材は、前記分割部分と重なる部分の全周に沿って該分割部分に対して接合されていることを特徴とする。
【００１７】
さらに、上記課題を解決するために、本発明は、河川の両岸からそれぞれ突き出た一対の袖部と、前記一対の袖部の間に設けられた水を流す開口部と、前記開口部に設けられ、河川の上流から流れてくる物体を捕捉して流水を通すとともに土石及び流木を捕捉する捕捉体と、を備え、前記捕捉体は、所定の間隔をあけて設置された複数の支柱を有し、前記支柱は、延び方向において互いに連結されている分割部分と、前記分割部分を互いに前記支柱の延び方向に沿って連結している連結材と、を有し、前記連結材は、前記分割部分と重なる部分の全周に沿って該分割部分に対して接合されていることを特徴とする。
【発明の効果】
【００１８】
本発明により、捕捉体における支柱の分割部分同士を容易に連結するとともに、分割部分同士の連結部分の面積を拡大して捕捉体の強度を高めることができる。
【図面の簡単な説明】
【００１９】
【図１】本発明の実施の形態に係る捕捉体を備えた高堰堤である砂防堰堤の斜視図である。
【図２】図１に示す砂防堰堤における捕捉体を上流側から見た図である。
【図３】本発明の実施の形態に係る捕捉体の側面図である。
【図４】本発明の実施の形態に係る捕捉体の上流側支柱の分割柱部の構成を説明するための拡大図である。
【図５】本発明の実施の形態に係る捕捉体を構築する工程を説明するための図である。
【図６】本発明の実施の形態に係る捕捉体を構築する工程を説明するための図である。
【図７】従来の捕捉体の側面図である。
【発明を実施するための形態】
【００２０】
本発明の好ましい実施の形態について、図面を参照しながら説明する。
【００２１】
本発明に係る捕捉体は、河川の上流から流れてくる流水を通すとともに土石及び流木を捕捉するものであり砂防堰堤に適用される。例えば、本実施の形態に係る捕捉体は、図１に示す高堰堤（ハイダム）である砂防堰堤に適用される。図１は、本発明の実施の形態に係る捕捉体１を備えた高堰堤である砂防堰堤の斜視図である。図２は、図１に示す砂防堰堤１００における捕捉体１を上流側から見た図である。
【００２２】
砂防堰堤１００は、一対の袖部１１０と、基礎部１２０と、捕捉体１と、を備える。袖部１１０は、コンクリートにより形成されている。一対の袖部１１０はそれぞれ、河川の両岸から河川を横断するようにして中央に向かって延びている。一対の袖部１１０の間には、所定の間隔があけられて開口部１１１が形成されている。
【００２３】
基礎部１２０は、開口部１１１の底部にコンクリートにより形成されている。基礎部１２０は、河床に形成されている。河川の水、上流から流れてきた砂、小礫等は、開口部１１１を通流していく。
【００２４】
ここで「高堰堤（ハイダム）」とは、基礎部１２０が設置される河川の河床（底部）から、捕捉体１の先端までの高さ（堤高）Ｈが１５ｍ以上の堰堤のことをいう。
【００２５】
本発明に係る捕捉体１は、砂防堰堤１００の開口部１１１において基礎部１２０に設けられている。捕捉体１は、河川の上流から流れてくる流水を通すとともに土石及び流木を捕捉する。捕捉体１は、複数の支柱１０と、複数の梁４０と、を備える。以下、捕捉体１の構成について具体的に説明する。
【００２６】
支柱１０は、延び方向に交差する断面形状が円形の鋼管を用いて形成されている。複数本の支柱１０が、砂防堰堤１００の延び方向（河川を横断する方向）に沿って設けられている。支柱１０は、互いに所定の間隔をあけて基礎部１２０に設置されている。
【００２７】
図３は、本発明の実施の形態に係る捕捉体の側面図である。支柱１０は、上流側に立設された上流側支柱２０と、下流側に立設された下流側支柱３０とを有する。上流側支柱２０及び下流側支柱３０は互いに連結されている。上流側支柱２０は、上流側から下流側へ向かって斜め上方に延在している。下流側支柱３０は、下流側から上流側へ向かって斜め上方に延在している。
【００２８】
上流側支柱２０は、鋼管製の２つの分割柱部２１，２２を有する。上流側支柱２０は、分割柱部（分割部分）２１，２２を互いに連結することにより形成されている。分割柱部２１，２２は、上流側支柱２０の延び方向（上流側支柱２０の軸線方向）に沿って端面部分において連結されている。分割柱部２１は、分割柱部２２に対して基礎部１２０側に位置する。なお、本実施の形態において上流側支柱２０は、２つの分割柱部２１，２２を有しているが、砂防堰堤１００の規模等を考慮して上流側支柱２０を構成する分割柱部の数は適宜変更することができ３つ以上であってもよい。
【００２９】
図７は、従来の捕捉体の側面図であり、図７（ａ）は、低堰堤（ローダム）用の従来の捕捉体２０１の側面図であり、図７（ｂ）は、高堰堤に用いた場合の従来の捕捉体３０１の側面図である。低堰堤である砂防堰堤の場合、捕捉体２０１；３０１の上流側支柱２１０；３１０は、複数の分割柱部２１１，２１２；３１１，３１２を互いに連結することにより形成されている。複数の分割柱部２１１，２１２；３１１，３１２は、それぞれの端面部分にフランジＦを有している。複数の分割柱部２１１，２１２；３１１，３１２は、フランジＦにおいてボルトにより連結されている。例えば、土石流発生時に捕捉体２０１；３０１において土石流を捕捉した場合、土石流体中の圧力（流体力）は、捕捉体２０１；３０１の高さＨ方向において上方から基礎部２０２；３０２側に向かうに連れて大きくなっている。
【００３０】
高堰堤でない砂防堰堤（堤高Ｈが、例えば１４．５ｍ未満である場合）の場合、上流側支柱２１０においてフランジＦに土石流体流体力がかかる。しかし、高堰堤でない砂防堰堤の場合、捕捉して堆積する土石流の高さは最大１０〜１４．５ｍ未満であることが一般的であり、分割柱部２１１，２１２をフランジＦにおいてボルトを介して連結して上流側支柱２１０を形成しても、十分に捕捉体２０１としての機能を発揮することができる。
【００３１】
これに対して、高堰堤である砂防堰堤の場合（堤高Ｈが、例えば１４．５ｍ以上である場合）、捕捉体３０１の上流側支柱３１０は、低堰堤における捕捉体２０１よりも大きくなる。高堰堤においては、土石流発生時に捕捉する土石流等の量も多くなり、分割柱部３１１，３１２同士を連結するフランジＦには、捕捉体２０１の上流側支柱２１０におけるフランジＦよりも大きな流体力がかかる。そのため、分割柱部３１１，３１２をフランジＦにおいてボルトにより連結する場合、フランジＦの肉厚を大きくして分割柱部３１１，３１２同士の連結箇所の強度を高める必要がある。しかしながら、フランジＦの肉厚を大きくすることにより、ボルトを通す孔の加工作業の負担が増大し、また、ボルトの長さを大きくしなければならず、施工コストが増大することになる。
【００３２】
これに対して、捕捉体の作業性の向上及び施工コストを抑制するために、本発明に係る捕捉体１のように、上流側支柱２０の分割柱部２１，２２同士は、複数の連結板材（連結材）２３により互いに連結されていることが有意である。図４は、本発明の実施の形態に係る捕捉体１の上流側支柱２０の分割柱部２１，２２の構成を説明するための拡大図であり、図４（ａ）は分割柱部２１，２２が連結板材２３により連結された状態を示す図であり、図４（ｂ）は分割柱部２１，２２が連結板材２３により連結される前の状態を示す図である。
【００３３】
分割柱部２１，２２同士の間には所定のシール部材（図示せず。）が介在されている。連結板材２３は、長尺の帯状の鋼板により形成されている。連結板材２３の長手方向に交差する断面形状は、円弧状に僅かに湾曲した形状である。連結板材２３は、分割柱部２１，２２の外周面に沿って湾曲している。また、各連結板材２３の湾曲した内周面同士を周方向に結んで形成される仮想円（破線により示す。）の径は、分割柱部２１，２２の外径と略同じである。
【００３４】
連結板材２３は、その長手方向を上流側支柱２０の延び方向に沿うようにして延びている。複数の連結板材２３は、上流側支柱２０の外周面において周方向に互いに所定の間隔をあけて設けられている。本実施の形態において複数の連結板材２３は、上流側支柱２０の径方向において対向する位置に設けられているが、連結板材２３の設置位置は特に限定されない。
【００３５】
連結板材２３が分割柱部２１，２２それぞれにおいて重なる量は略同じであるが、異なっていてもよい。連結板材２３は、全周に亘って分割柱部２１，２２に対して溶接（隅肉溶接）されている。つまり、分割柱部２１，２２に対する連結板材２３の溶接部分２４は、連結板材２３の全周に設けられている。
【００３６】
なお、連結板材２３は、工場において予め分割柱部２１に溶接された状態において砂防堰堤１００の設置現場に搬送されてくる。工場から搬送される分割柱部２１は、一方の端部においてその端面から延び出ている複数の連結板材２３を有する。連結板材２３の略半分は、分割柱部２１からはみ出た突出部分２５を形成している。なお、連結板材２３の突出部分２５は、連結板材２３の略半分に限られず、適宜変更することができる。
【００３７】
図３に戻って、下流側支柱３０は、鋼管製の３つの分割柱部３１，３２，３３を有する。下流側支柱３０は、分割柱部３１，３２，３３を互いに連結することにより形成されている。分割柱部３１，３２，３３は、下流側支柱３０の延び方向（下流側支柱３０の軸線方向）に沿って端面部分において連結されている。分割柱部３１は、分割柱部３２に対して、また、分割柱部３２は、分割柱部３３に対して基礎部１２０の側に位置する。分割柱部３１，３２，３３は、互いに連結する部分にそれぞれフランジＦを有している。分割柱部３１，３２，３３同士は、フランジＦを介してボルトにより接合されている。
【００３８】
上流側支柱２０及び下流側支柱３０は互いに連結されている。具体的には、上流側支柱２０の分割柱部２１と下流側支柱３０の分割柱部３２とが互いに接合されており、上流側支柱２０の分割柱部２２と下流側支柱３０の分割柱部３３とが接合されている。
【００３９】
下流側支柱３０の分割柱部３３の上端は、上流側支柱２０の分割柱部２２の上端部に一体に接合されている。つまり、上流側支柱２０の分割柱部２２と下流側支柱３０の分割柱部３３とは一体不可分に形成されている。
【００４０】
上流側支柱２０の分割柱部２１は、河川の流れ方向において下流側に延びている連結梁部２６を有する。下流側支柱３０の分割柱部３２は、河川の流れ方向において上流側に延びている連結梁部３４を有する。連結梁部２６，３４の互いに連結される端面にはフランジＦが設けられている。上流側支柱２０の分割柱部２１と、下流側支柱３０の分割柱部３２とは、互いにフランジＦを介してボルトにより接合されている。
【００４１】
なお、本実施の形態において下流側支柱３０は、３つの分割柱部３１，３２，３３を有しているが、砂防堰堤１００の規模等を考慮して下流側支柱３０を構成する分割柱部の数は、設置現場の状況及び運搬条件により適宜変更することができ、２つ又は４つ以上であってもよい。
【００４２】
図１，２に戻って、梁４０は、上流側支柱２０同士の間に架け渡された状態において設けられている。梁４０は、延び方向に交差する断面形状が円形の鋼管により形成されている。梁４０は、上流側支柱２０の延び方向における所定の位置で、捕捉体１の高さＨ方向において所定の間隔をあけて設けられている。
【００４３】
なお、梁４０は、各上流側支柱２０から、隣り合う上流側支柱２０に向かって延びている。隣り合う上流側支柱２０から延びた梁４０は、互いに連結される端面にフランジＦを有する。各上流側支柱２０における梁４０同士は、互いにフランジＦにおいてボルトにより接合されている。
【００４４】
次に捕捉体１を構築する方法について説明する。図５は、本発明の実施の形態に係る捕捉体１を構築する工程を説明するための図であり、図５（ａ）は上流側支柱２０の分割柱部２１及び下流側支柱３０の分割柱部３１，３２を設置する工程を示す図であり、図５（ｂ）は上流側支柱２０の分割柱部２１に上流側支柱２０の分割柱部２２を連結するとともに、下流側支柱３０の分割柱部３１，３２に下流側支柱３０の分割柱部３３を連結する工程を示す図である。図６は、本発明の実施の形態に係る捕捉体１を構築する工程を説明するための図であり、図６（ａ）は上流側支柱２０の分割柱部２１における連結板材２３の内側に、分割柱部２２を収容して設置する工程を示す図であり、図６（ｂ）は上流側支柱２０の分割柱部２１，２２同士に対して連結板材２３を溶接する工程を示す図である。
【００４５】
捕捉体１を構築する方法においては、互いに連結される分割柱部２１，２２の一方の分割柱部２１に、延び方向に沿って他方の分割柱部２２に向かって延びる連結板材２３を接合し、一方の分割柱部２１と他方の分割柱部２２とを突き合わせた状態において、他方の分割柱部２２と重なる連結板材２３を他方の分割柱部２２に接合する工程を有する。以下、本発明に係る捕捉体１の構築方法について具体的に説明する。
【００４６】
まず、一対の袖部１１０の間の開口部１１１の底部に基礎部１２０を構築する。基礎部１２０は、コンクリートを河床に打設することにより形成される。上流側支柱２０の分割柱部２１及び下流側支柱３０の分割柱部３１を基礎部１２０に設置する。連結板材２３とは反対側の分割柱部２１の一方の端部は、基礎部１２０内に埋め込まれている（第１設置工程）。
【００４７】
第１設置工程において、下流側支柱３０の分割柱部３１に対して分割柱部３２を連結し、上流側支柱２０の分割柱部２１と下流側支柱３０の分割柱部３２とを、連結梁部２６，３４のフランジＦを介して互いにボルトにより接合する。
【００４８】
基礎部１２０のコンクリートが完全に固化した後、上流側支柱２０の分割柱部２１に対して分割柱部２２を接近させるとともに、下流側支柱３０の分割柱部３２に分割柱部３３を接近させる。分割柱部２２の一方の端部を、分割柱部２１の複数の連結板材２３によって囲まれた領域内に挿入する（第２設置工程）。分割柱部２１の端部から突出している複数の連結板材２３の突出部分２５の内側に分割柱部２２の端部を収容する。
【００４９】
各連結板材２３の内面同士を繋いで周方向に形成される仮想円の径は、分割柱部２１，２２の外径と略同じである。第２設置工程において、分割柱部２２は、その外周面が連結板材２３の突出部分２５の内周面に接触しながら、端面が分割柱部２１の端面に接触するまで分割柱部２１に接近させられる。分割柱部２１，２２同士の端面同士が接触した状態において、分割柱部２１の連結板材２３の突出部分２５における内周面は、分割柱部２２の外周面に接触している。
【００５０】
第２設置工程後、分割柱部２１，２２の端面同士を突き合わせた状態において、分割柱部２２に対して複数の連結板材２３の突出部分２５を溶接することにより、分割柱部２１と分割柱部２２とを互いに接合する。溶接は、連結板材２３の突出部分２５と分割柱部２２とが重なる部分においてその全周に沿って実施される（溶接工程）。全ての連結板材２３を分割柱部２２に対して溶接する。なお、分割柱部２１，２２の端面同士を突き合わせた状態において、突き合わせ部分を全周に亘って溶接してもよい。これにより、分割柱部２１，２２の間から水が柱内部に流入することを防ぐことができる。以上により、捕捉体１を構築する全工程が終了する。
【００５１】
以上のような捕捉体１によれば、上流側支柱２０の分割柱部２１，２２同士は連結板材２３を介して溶接により互いに接合されている。したがって、分割柱部２１，２２同士の連結部分の面積を拡大することにより強度が高められ、高堰堤における捕捉体１として高い補足機能を発揮することができる。
【００５２】
具体的には、高堰堤における捕捉体１の上流側支柱２０の強度を、分割柱部同士をフランジＦにおいてボルトにより接合する従来の捕捉体を高堰堤に構築する場合に比べて増やすことができる。これは、各連結板材２３の周長分だけ分割柱部２１，２２同士の一体部分（連結部分）となり連結部分の面積が大きくなり、分割柱部２１，２２の一体性が増して、上流側支柱２０の強度が向上するからである。土石流発生時に上流側支柱２０の分割柱部２１，２２同士の連結部分に作用する土石流流体力に対する応力（曲げ応力）及び耐性が向上する。これにより、捕捉体１は、土石流発生時に高堰堤において十分な補足機能を確実に発揮することができる。
【００５３】
また、高堰堤における捕捉体１の上流側支柱２０を構築する作業負担及び作業コストを、分割柱部同士をフランジＦにおいてボルトにより連結する従来の捕捉体を高堰堤に構築する場合に比べて大幅に減じることができる。
【００５４】
さらに、連結板材２３の長さ、板厚、幅、枚数、これらの組み合わせ等を適宜変更することにより、単一の鋼管により形成された場合の上流側支柱と同等以上の強度、耐力を備えた上流側支柱２０を形成することもできる。
【００５５】
また、上流側支柱２０の分割柱部２２が、分割柱部２１における連結板材２３の内側に収容されるようになる。分割柱部２１に対する分割柱部２２の設置は、分割柱部２２が連結板材２３により案内されることでより簡単に行うことができる。また、分割柱部２２の端部を収容するときに連結板材２３の内周面と分割柱部２２の外周面とが接触しながら、分割柱部２１において分割柱部２２が収容される。これにより、分割柱部２２は、分割柱部２１に対して同軸上に位置決めされながら案内される。
【００５６】
また、分割柱部２１は、河川の底部側に設置されているので、分割柱部２２の設置が容易になる。
【００５７】
以上、本発明の好適な実施の形態について説明したが、本発明は上記の実施の形態に限定されるものではなく、本発明の概念及び特許請求の範囲に含まれるあらゆる態様を含む。また、上述した課題及び効果の少なくとも一部を奏するように、各構成を適宜選択的に組み合わせてもよい。例えば、上記実施の形態における各構成要素の形状、材料、配置、サイズ等は、本発明の具体的使用態様によって適宜変更されうる。例えば、上記の実施の形態においては、連結板材２３は、分割柱部２１の側に設けられていたが、分割柱部２２の側に設けられていてもよい。
【００５８】
また、上記の実施の形態においては、上流側支柱２０の分割柱部２１，２２同士が連結板材２３を介して接合されていたが、下流側支柱３０の分割柱部３１，３２同士も連結板材を介して接合されていてもよい。
【００５９】
また、上記の実施の形態においては、連結板材２３は、湾曲して形成されていたが、支柱１０の径や、連結板材２３の幅・分割数等により、長手方向交差する断面形状は矩形であってもよい。
【００６０】
また、上記の実施の形態においては、連結板材２３は、工場において予め分割柱部２１に溶接により取り付けられていたが、砂防堰堤の施行現場において取り付けられていてもよい。
【００６１】
また、上記の実施の形態においては、捕捉体１は、高堰堤の砂防堰堤１００に設けられていたが、高堰堤ではない砂防堰堤に設けてもよい。
【符号の説明】
【００６２】
１  捕捉体
１０  支柱
２０  上流側支柱
２１  分割柱部（一方の分割部分）
２２  分割柱部（他方の分割部分）
２３  連結板材（連結材）
２４  溶接部分
２５  突出部分
１００  砂防堰堤
１１０  袖部
１２０  基礎部
１１１  開口部
【図１】
2020125662.tif 000003
【図２】
2020125662.tif 000004
【図３】
2020125662.tif 000005
【図４】
2020125662.tif 000006
【図５】
2020125662.tif 000007
【図６】
2020125662.tif 000008
【図７】
2020125662.tif 000009